(57)【要約】      （修正有）【課題】ＲＦ発射器上に置いて無接触センサー方式で電力を発生させる一種の電池カバーを提供する。【解決手段】電池カバーは、電気製品の電池スロット上への被覆が可能であり、ゲーム制御器、リモコン、携帯電話、マルチメディア再生器、コードレスマウス、懐中電灯、ＰＤＡ、デジタルカメラ等の電気製品の電池スロット上に被覆し、コードレスセンサー方式によって電力を生じさせ、該電気製品の作動電力を供給する充電電池に対し充電を行う。これにより、使用者は充電電池に充電を行う場合、充電電池を取り出す必要なく、電気製品全体を直接、有効のコードレスセンサーエリア内に置くだけで、即刻コードレスセンサー方式によって電池カバーに電力を生じさせ、充電電池に対して充電を行うことができる。【選択図】図１
0003143249.tif 000002
【実用新案登録請求の範囲】
【請求項１】
電池カバーは、ＲＦ発射器上に配置し、しかも非接触のセンサー方式によって充電を行い、該電池カバーは、カバー体と非接触式電力発生ユニットを最低含み、
該カバー体は、電気製品の電池スロット上に被覆し、該カバー体には電池スロット方向に充電電池と電気接続する端子部を設け、
該非接触式電力発生ユニットは、カバー体内に設け、ＲＦ発射器のＲＦ信号を感知して電力を発生させ、しかも端子部によって充電電池に対し充電を行うことを特徴とする電池カバー。
【請求項２】
前記の非接触式電力発生ユニットは、
第一コイルを備え且つＲＦ発射器のＲＦ信号の有効エリアに進入した時に良好なエネルギー源を得られる第一共振回路と、
第一共振回路に接続して、該エネルギー源を直流電気に変換する整流フィルタ回路と、  整流フィルタ回路に接続し、端子部を通して充電電池に対して充電を行う充電回路と、  充電回路に接続し、充電電池の充電状態を探知する第一処理ユニットと、
第一処理ユニットと整流フィルタ回路の間に接続して、負荷変化モードによって第一コイルを通してＲＦ発射器に受信させる充電状態データを発信させる第一変調回路とを含むことを特徴とする請求項１記載の電池カバー。
【請求項３】
前記のＲＦ発射器は、第二コイルを含む第二共振回路と、第二共振回路に接続する駆動回路と、駆動回路と外部電源に接続する発振回路と、第二コイルに接続する第二信号処理回路と、第二信号処理回路に接続する第二処理ユニットと、第二処理ユニットに接続し充電状況を表示する表示ユニットとを含むことを特徴とする請求項２記載の電池カバー。
【請求項４】
前記のＲＦ発射器は、第二コイルを含む第二共振回路と、第二共振回路に接続する駆動回路と、駆動回路に接続する電圧制御発振回路と、第二コイルに接続する第二信号処理回路と、第二信号処理回路に接続する第二処理ユニットと、第二処理ユニットに接続し充電状況を表示する表示ユニットと、電圧制御発振回路と第二処理ユニット間に接続するフィードバック回路を含むことを特徴とする請求項２記載の電池カバー。
【請求項５】
前記のＲＦ発射器は更に、第二処理ユニットと駆動回路の間に設ける第二変調回路を含み、非接触式電力発生ユニットは更に、第一コイルと第一処理ユニット間に接続する第一信号処理回路と、第一処理ユニットに接続するメモリを含むことを特徴とする請求項３若しくは請求項４記載の電池カバー。
【請求項６】
前記のメモリは、ＦＬＡＳＨ、ＥＥＰＲＯＭの何れか一つであることを特徴とする請求項５記載の電池カバー。
【請求項７】
前記のＲＦ発射器は、更に電源スイッチを含むことを特徴とする請求項３若しくは請求項４記載の電池カバー。
【請求項８】
前記のスイッチはセンサー式スイッチであることを特徴とする請求項７記載の電池カバー。
【請求項９】
前記の非接触式電力発生ユニットは、第一処理ユニットと充電回路間に設ける保護回路を含むことを特徴とする請求項２記載の電池カバー。
【請求項１０】
電池カバーは、ＲＦ発射器上に配置し、しかも非接触のセンサー方式によって充電を行い、該電池カバーは、カバー体と非接触式電力発生ユニットを最低含み、
該カバー体は、電気製品の電池スロット上に被覆し、該カバー体上には充電電池を設置し、しかも電池スロット方向に電池スロットの電極端に対応する端子部を設け、
該非接触式電力発生ユニットは、カバー体内に設け、ＲＦ発射器のＲＦ信号を感知して電力を発生させ、並びに充電電池に対し充電を行った後、端子部を通して電気製品に電気供給をすることを特徴とする電池カバー。
【請求項１１】
前記の非接触式電力発生ユニットは、
第一コイルを備え且つＲＦ発射器のＲＦ信号の有効エリアに進入した時に良好なエネルギー源を得られる第一共振回路と、
第一共振回路に接続して、該エネルギー源を直流電気に変換する整流フィルタ回路と、  整流フィルタ回路に接続し、充電電池に対して充電を行う充電回路と、
充電回路に接続し、充電電池の充電状態を探知する第一処理ユニットと、
第一処理ユニットと整流フィルタ回路の間に接続して、負荷変化モードによって第一コイルを通してＲＦ発射器に受信させる充電状態データを発信させる第一変調回路と、
第一処理ユニットと充電回路に接続し、充電電池の充電過剰や放電過剰の状況発生を防止する保護回路とを含むことを特徴とする請求項１０記載の電池カバー。
【請求項１２】
前記のＲＦ発射器は、第二コイルを含む第二共振回路と、第二共振回路に接続する駆動回路と、駆動回路と外部電源に接続する発振回路と、第二コイルに接続する第二信号処理回路と、第二信号処理回路に接続する第二処理ユニットと、第二処理ユニットに接続し充電状況を表示する表示ユニットとを含むことを特徴とする請求項１１記載の電池カバー。
【請求項１３】
前記のＲＦ発射器は、第二コイルを備える第二共振回路と、第二共振回路に接続する駆動回路と、駆動回路に接続する電圧制御発振回路と、第二コイルに接続する第二信号処理回路と、第二信号処理回路に接続する第二処理ユニットと、
第二処理ユニットに接続し充電状況を表示する表示ユニットと、電圧制御発振回路と第二処理ユニット間に接続するフィードバック回路を含むことを特徴とする請求項１１記載の電池カバー。
【請求項１４】
前記のＲＦ発射器は更に、第二処理ユニットと駆動回路の間に設ける第二変調回路を含み、非接触式電力発生ユニットは更に、第一コイルと第一処理ユニット間に接続する第一信号処理回路と、第一処理ユニットに接続するメモリとを含むことを特徴とする請求項１２若しくは請求項１３記載の電池カバー。
【請求項１５】
前記のメモリは、ＦＬＡＳＨ、ＥＥＰＲＯＭの何れか一つであることを特徴とする請求項１４記載の電池カバー。
【請求項１６】
前記のＲＦ発射器は、更に電源スイッチを含むことを特徴とする請求項１１記載の電池カバー。
【請求項１７】
前記のスイッチはセンサー式スイッチであることを特徴とする請求項１６記載の電池カバー。
【請求項１８】
前記の非接触式電力発生ユニットは、第一処理ユニットと充電回路間に設ける保護回路を含むことを特徴とする請求項１１記載の電池カバー。
【請求項１９】
前記カバー体は更に、充電電池を入れる内設スロットを設置することを特徴とする請求項１０記載の電池カバー。
【考案の詳細な説明】
【技術分野】
【０００１】
本考案の電池カバーは、非接触センサー方式によって電気製品を作動させる電力を供給する充電電池に対し充電を行う一種の技術であり、これにより充電電池は電気製品から取り出す必要なくコードレス充電作業を行うことができる。
【背景技術】
【０００２】
多くの物品、工具を使用する場合、電池によってその作動電力を供給しているのが常であるが、それらの例として、ゲーム制御器、リモコン、携帯電話、マルチメディア再生器、コードレスマウス、懐中電灯、ＰＤＡ、デジタルカメラ等の電気製品が挙げられる。また、電池の使用及び廃棄電池の回収は、度々非常に大きな環境問題を引き起こしており、近年来、繰り返し再利用できる充電電池が徐々に人々の愛用となりつつあり、それは廃棄電池の数量低下の他、消費者の購入する新電池の費用を削減することができる。
【０００３】
一般には、充電電池は電力を使い切った時、外部電源によって電池充電が可能であり、電気エネルギーを化学エネルギーに転化して蓄積する（充電電池は化学の可逆反応を起こす）。
【０００４】
よって、充電電池を採用する電気製品は電力不足の問題が生じた場合、以下の二種方式によってその内部に取り付けた充電電池に対して充電を行っている。一つ目は、電気製品の電池カバーを開き、並びに充電電池を電池スロット中から取り出し、更に充電電池を外部充電機器内に移動配置し充電を行い、充電電池の充電完了後、充電電池を外部充電機器内から取り出し、電気製品に戻し、最後に電池カバーを被覆、これにより、電気製品を正常に操作することができる。この種の充電操作方式は、使用者が充電電池の取り外し、取り付け等動作を常に行う必要がある。二つ目は、使用者が充電電池の取り外しを常に行わなくていいように、先駆者は、電気製品内に電源を外付け可能な充電回路を設置し、電気製品が電力不足になった時、電気製品に対して外付け電源を差し込む動作を行い、充電回路に外部電源を得させて充電電池に充電を行い、充電電池の充電完了後、更に外付け電源を電気製品から抜き取り、電気製品を正常作動させる。
【０００５】
しかし、前記の二番目の充電方式は、本体に充電回路を設置した電気製品にのみ適用できるもので、一般の電気製品には決して適用しない。例えば、一般の家庭用テレビのリモコンは、電源を外付け可能で充電を行う効果を備えておらず、またこの外付け電源を差し込む方式は、その関連する挿し込み端子に、折れ、潰れ、塵の進入、酸化、湿気等の問題が常に起こり易く、また使用者が、例えばゲーム制御器、リモコン、携帯電話、マルチメディア再生器、コードレスマウス、懐中電灯、ＰＤＡ、デジタルカメラ等の多種電気製品を所有している場合、各電気製品には全て、外付け電源を伝送する一組の導線が必要で、各導線が大きな場所を取る変圧器を含むことさえあり、よって、導線の混乱、収納の困難、混用し易い等の問題が生じる。
【０００６】
これに鑑み、考案者は、電気製品の元々の設計を変化させない前提の下、本考案の『電池カバー』を研究開発した。電気製品は本考案の電池カバーを採用した後、充電電池を電気製品から取り出す必要がなく、また電気製品に有線の外部電源を差し込む必要もなく、即刻コードレスセンサー方式によって充電電池は充電時に必要な電力を生じさせることができる。
【考案の開示】
【考案が解決しようとする課題】
【０００７】
本考案の目的は、ＲＦ発射器上に置いて無接触センサー方式で電力を発生させる一種の電池カバーを提供することにあり、それは、例えば一般市場において販売されているゲーム制御器、リモコン、携帯電話、マルチメディア再生器、コードレスマウス、懐中電灯、ＰＤＡ、デジタルカメラ等の電気製品の電池スロット上に被覆可能であり、コードレスセンサー方式で電力を発生させ、該電気製品の作動電力を供給する一つの充電電池に対し充電を行うものである。
【０００８】
本考案の電池カバーは一つのカバー体と、電池スロットの電極端に対応する一組の端子部と、一つの非接触式電力発生ユニットを最低含む。該カバー体は、電気製品の電池スロット上に被覆し、非接触式電力発生ユニットはカバー体内に設け、前記非接触式電力発生ユニットは、第一コイルを備える第一共振回路と、第一共振回路に接続する整流フィルタ回路と、整流フィルタ回路に接続して充電電池に対して充電を行う充電回路とを含む。本考案の電池カバーに取り付ける電気製品はＲＦ発射器の有効のコードレスセンサーエリア内に配置すると、コードレスセンサー方式によって電池カバーに電力を発生させ端子部によって充電電池に対し充電を行う。言い換えれば、一般の消費者は、ただ本考案の電池カバーを市販の電気製品上に置き換えるだけで、該電気製品はコードレスセンサー方式での電力補充が可能となる。
【０００９】
また、前記の非接触式電力発生ユニットはカバー体内に隠されて配置され、且つ端子部はカバー体の電池スロット方向に突設し充電電池と電気接続し、この種の設置方法は、これを一般の市販の充電電池に組み合わせて使用するのに適しており、充電電池が壊れたり蓄電効果が衰退した場合、消費者は自分で比較的安価な市販の充電電池を購入し取替えられる。
【００１０】
または、前記の充電電池はカバー体内に内設し、且つ端子部をカバー体内に設けて電池スロットの電極端と対応させることも可能であり、この種の設置方式は、充電電池とカバー体を一体結合し、充電電池に比較的容易に蓄電される故、例えば、蓄電量が一般の市販の電池より大きい高効果の充電電池を消費者が電気製品に使用する場合、電力放電が弱い故の操作中断を生じさせ難い。
【課題を解決するための手段】
【００１１】
請求項１の考案は、電池カバーは、ＲＦ発射器上に配置し、しかも非接触のセンサー方式によって充電を行い、該電池カバーは、カバー体と非接触式電力発生ユニットを最低含み、
該カバー体は、電気製品の電池スロット上に被覆し、該カバー体には電池スロット方向に充電電池と電気接続する端子部を設け、
該非接触式電力発生ユニットは、カバー体内に設け、ＲＦ発射器のＲＦ信号を感知して電力を発生させ、しかも端子部によって充電電池に対し充電を行うことを特徴とする電池カバーとしている。
請求項２の考案は、前記の非接触式電力発生ユニットは、
第一コイルを備え且つＲＦ発射器のＲＦ信号の有効エリアに進入した時に良好なエネルギー源を得られる第一共振回路と、
第一共振回路に接続して、該エネルギー源を直流電気に変換する整流フィルタ回路と、  整流フィルタ回路に接続し、端子部を通して充電電池に対して充電を行う充電回路と、  充電回路に接続し、充電電池の充電状態を探知する第一処理ユニットと、
第一処理ユニットと整流フィルタ回路の間に接続して、負荷変化モードによって第一コイルを通してＲＦ発射器に受信させる充電状態データを発信させる第一変調回路とを含むことを特徴とする請求項１記載の電池カバーとしている。
請求項３の考案は、前記のＲＦ発射器は、第二コイルを含む第二共振回路と、第二共振回路に接続する駆動回路と、駆動回路と外部電源に接続する発振回路と、第二コイルに接続する第二信号処理回路と、第二信号処理回路に接続する第二処理ユニットと、第二処理ユニットに接続し充電状況を表示する表示ユニットとを含むことを特徴とする請求項２記載の電池カバーとしている。
請求項４の考案は、前記のＲＦ発射器は、第二コイルを含む第二共振回路と、第二共振回路に接続する駆動回路と、駆動回路に接続する電圧制御発振回路と、第二コイルに接続する第二信号処理回路と、第二信号処理回路に接続する第二処理ユニットと、第二処理ユニットに接続し充電状況を表示する表示ユニットと、電圧制御発振回路と第二処理ユニット間に接続するフィードバック回路を含むことを特徴とする請求項２記載の電池カバーとしている。
請求項５の考案は、前記のＲＦ発射器は更に、第二処理ユニットと駆動回路の間に設ける第二変調回路を含み、非接触式電力発生ユニットは更に、第一コイルと第一処理ユニット間に接続する第一信号処理回路と、第一処理ユニットに接続するメモリを含むことを特徴とする請求項３若しくは請求項４記載の電池カバーとしている。
請求項６の考案は、前記のメモリは、ＦＬＡＳＨ、ＥＥＰＲＯＭの何れか一つであることを特徴とする請求項５記載の電池カバーとしている。
請求項７の考案は、前記のＲＦ発射器は、更に電源スイッチを含むことを特徴とする請求項３若しくは請求項４記載の電池カバーとしている。
請求項８の考案は、前記のスイッチはセンサー式スイッチであることを特徴とする請求項７記載の電池カバーとしている。
請求項９の考案は、前記の非接触式電力発生ユニットは、第一処理ユニットと充電回路間に設ける保護回路を含むことを特徴とする請求項２記載の電池カバーとしている。
請求項１０の考案は、電池カバーは、ＲＦ発射器上に配置し、しかも非接触のセンサー方式によって充電を行い、該電池カバーは、カバー体と非接触式電力発生ユニットを最低含み、
該カバー体は、電気製品の電池スロット上に被覆し、該カバー体上には充電電池を設置し、しかも電池スロット方向に電池スロットの電極端に対応する端子部を設け、
該非接触式電力発生ユニットは、カバー体内に設け、ＲＦ発射器のＲＦ信号を感知して電力を発生させ、並びに充電電池に対し充電を行った後、端子部を通して電気製品に電気供給をすることを特徴とする電池カバーとしている。
請求項１１の考案は、前記の非接触式電力発生ユニットは、
第一コイルを備え且つＲＦ発射器のＲＦ信号の有効エリアに進入した時に良好なエネルギー源を得られる第一共振回路と、
第一共振回路に接続して、該エネルギー源を直流電気に変換する整流フィルタ回路と、  整流フィルタ回路に接続し、充電電池に対して充電を行う充電回路と、
充電回路に接続し、充電電池の充電状態を探知する第一処理ユニットと、
第一処理ユニットと整流フィルタ回路の間に接続して、負荷変化モードによって第一コイルを通してＲＦ発射器に受信させる充電状態データを発信させる第一変調回路と、
第一処理ユニットと充電回路に接続し、充電電池の充電過剰や放電過剰の状況発生を防止する保護回路とを含むことを特徴とする請求項１０記載の電池カバーとしている。
請求項１２の考案は、前記のＲＦ発射器は、第二コイルを含む第二共振回路と、第二共振回路に接続する駆動回路と、駆動回路と外部電源に接続する発振回路と、第二コイルに接続する第二信号処理回路と、第二信号処理回路に接続する第二処理ユニットと、第二処理ユニットに接続し充電状況を表示する表示ユニットとを含むことを特徴とする請求項１１記載の電池カバーとしている。
請求項１３の考案は、前記のＲＦ発射器は、第二コイルを備える第二共振回路と、第二共振回路に接続する駆動回路と、駆動回路に接続する電圧制御発振回路と、第二コイルに接続する第二信号処理回路と、第二信号処理回路に接続する第二処理ユニットと、
第二処理ユニットに接続し充電状況を表示する表示ユニットと、電圧制御発振回路と第二処理ユニット間に接続するフィードバック回路を含むことを特徴とする請求項１１記載の電池カバーとしている。
請求項１４の考案は、前記のＲＦ発射器は更に、第二処理ユニットと駆動回路の間に設ける第二変調回路を含み、非接触式電力発生ユニットは更に、第一コイルと第一処理ユニット間に接続する第一信号処理回路と、第一処理ユニットに接続するメモリとを含むことを特徴とする請求項１２若しくは請求項１３記載の電池カバーとしている。
請求項１５の考案は、前記のメモリは、ＦＬＡＳＨ、ＥＥＰＲＯＭの何れか一つであることを特徴とする請求項１４記載の電池カバーとしている。
請求項１６の考案は、前記のＲＦ発射器は、更に電源スイッチを含むことを特徴とする請求項１１記載の電池カバーとしている。
請求項１７の考案は、前記のスイッチはセンサー式スイッチであることを特徴とする請求項１６記載の電池カバーとしている。
請求項１８の考案は、前記の非接触式電力発生ユニットは、第一処理ユニットと充電回路間に設ける保護回路を含むことを特徴とする請求項１１記載の電池カバーとしている。
請求項１９の考案は、前記カバー体は更に、充電電池を入れる内設スロットを設置することを特徴とする請求項１０記載の電池カバーとしている。
【考案の効果】
【００１２】
従来技術と比較し、本考案は下記特徴を最低含む。
１．電気製品が本考案の電池カバーを採用する場合、充電電池に対して取り外しや取り付けを常に行う必要がない。２．本考案の電池カバーを採用する電気製品は、コードレスセンサー方式によって電力補充を行う。３．面倒なコードの片付け問題を回避することができる。４．消費者が本考案の電池カバーを市販の電気製品上に取り替え配置すると、即刻該電気製品にコードレスセンサー方式によって電力補充が行え、言い換えれば、本考案の使用は、元々の電気製品の中身を特別に変更する必要がない。
【考案を実施するための最良の形態】
【００１３】
参照とする図１は、本考案の実施例１の立体外観図を示す。この実施例の電池カバーはＲＦ発射器６０上に配置し、それは、一つのカバー体１０と、カバー体１０内に設ける一つの非接触式電力発生ユニット２０と、一組の端子部３０とを含む。該カバー体１０は電気製品４０の電池スロット４１上に被覆し、前記電気製品４０の作動電力は最低一つの充電電池５０から供給され、前記非接触式電力発生ユニット２０はカバー体１０内に隠されて配置され、端子部３０はカバー体１０上の電池スロット４１方向に位置し、並びに充電電池５０と電気接続する。本考案の電池カバーは電気製品４０の電池スロット４１に被覆した後、電気製品４０をＲＦ発射器６０上に配置すると、即刻充電を行うことができる。その使用状態図は図２に示す通りである。
【００１４】
図２及び図３に、本考案の実施例１の使用状態図及びその構造図を示す。使用者は充電電池５０に充電を行う場合、充電電池５０を電気製品４０の中から取り出す必要なく、ただ電気製品４０全体を直接、ＲＦ発射器６０の有効のコードレスセンサーエリア内に置くだけで、即刻コードレスセンサー方式によって電池カバーは電力を発生し、充電電池５０に対して充電を行う。
【００１５】
前記の非接触式電力発生ユニット２０を実施する場合、更に、第一コイル２１と、ＲＦ発射器６０のＲＦ信号の有効エリアに進入する時に良好なエネルギー源を得ることができる第一共振回路２２と、第一共振回路２２に接続して前記のエネルギー源を直流電気に変換する整流フィルタ回路２３と、整流フィルタ回路２３に接続し端子部３０を通して充電電池５０に対して充電を行う充電回路２４と、充電回路２４に接続し充電電池５０の充電状態を探知する第一処理ユニット２５と、第一処理ユニット２５と整流フィルタ回路２３の間に接続して整流フィルタ回路２３と第一コイル２１を通してＲＦ発射器６０に感知させる充電状態信号を発信させる第一変調回路２６と、第一処理ユニット２５と充電回路２４間に設ける保護回路２７と、第一コイル２１と第一処理ユニット２５間に接続する第一信号処理回路２８と、第一処理ユニット２５と接続するメモリ２９とを含む。
【００１６】
ＲＦ発射器６０は、第二コイル６１を含む第二共振回路６２と、第二共振回路６２に接続する駆動回路６３と、駆動回路６３と外部電源間に接続する発振回路６４と、外部電源と発振回路６４間に接続するスイッチ６５と、第二コイル６１に接続する第二信号処理回路６６と、第二信号処理回路６６に接続する第二処理ユニット６７と、第二処理ユニット６７に接続し充電状況を表示する為の表示ユニット６８と、駆動回路６３と第二処理ユニット６７間に接続する第二変調回路６９とを含む。
【００１７】
スイッチ６５をオンにしＲＦ発射器６０が電源を得ると、第二コイル６１はＲＦ信号を発信する。電気製品４０全体をＲＦ発射器６０上に直接配置することにより、第一コイル２１は有効のコードレスセンサーエリア内（ＲＦ信号が及ぶ有効エリア）に進入し、この時、非接触式電力発生ユニット２０は電力を発生、並びに、充電回路２４及び端子部３０を通して充電電池５０に対して充電を行う。
【００１８】
前記の第一変調回路２６は、負荷変化モードによって第一コイル２１を通して非接触式電力発生ユニット２０にＲＦ発射器６０が感知する充電状態信号を発信させ、ＲＦ発射器６０は表示ユニット６８によって充電電池５０の充電状態を表示する。該表示ユニット６８の実施方式は視覚表示装置や聴覚表示装置等にすることも可能であり、充電電池５０が現在どの種の充電状態であるかを使用者に知らせる。次に、保護回路２７の設置により、充電電池５０の充電過程における充電過剰や放電過剰を防止することができる。
【００１９】
次に、ＲＦ発射器６０は更に、第二変調回路６９、駆動回路６３、第二コイル６１を経て非接触式電力発生ユニット２０に対してデータ信号を発信し、並びに、非接触式電力発生ユニット２０は第一コイル２１が受信した該データ信号を得、第一信号処理回路２８と第一処理ユニット２５を経て受信したデータ信号をメモリ２９内に保存し、充電電池５０の充電時に必要な相関パラメータの送信に役立たせる。例えば、該充電電池５０の最良充電電量データ送信により、非接触式電力発生ユニット２０に充電電池５０に対する最良の充電制御を行わせる。
【００２０】
また、ＲＦ発射器６０の外部電源と発振回路６４間のスイッチ６５は、ＲＦ発射器６０の作動をオンやオフにするものであり、該スイッチ６５は、一般の手動スイッチの他、センサー式スイッチとすることも可能で、非接触式電力発生ユニット２０がスイッチ６５に近づいたり接触した時にＲＦ発射器６０を自動起動させることができる。
【００２１】
前記の実施例１の設置方式は、一般の市販の充電電池５０に組み合わせ使用するのに適しており、充電電池５０の損傷や蓄電効果の衰退時、消費者は安価な市販の充電電池５０を自分で購入して取り替えることができる。
【００２２】
参照とする図４に、本考案の実施例２に関する構造図を示す。ＲＦ発射器６０に最良のＲＦ信号を発信させる為に、実施例２は、実施例１における発振回路６４（図３参照）を電圧制御発振回路６４aに置き換え、並びに第二共振回路６２と第二処理ユニット６７間にフィードバック回路６４bを設置して、ＲＦ発射器６０に即時に実際の電圧、電流変化に従った最良のＲＦ信号を発信させる。
【００２３】
図５及び図６に、本考案の実施例３に関する立体外観図及び構造図を示す。実施例３と実施例１及び実施例２の主な差異は、実施例３の充電電池５０はカバー体１０内に内設し、しかもカバー体１０には電気製品４０の電池スロット４１の電極端に対応する端子部３０を設置する（この実施例の電気製品４０は、携帯電話を代表として説明する）。この種の設置方式は、充電電池５０とカバー体１０を一体結合し、充電電池は容易に蓄電できる故、例えば蓄電量が一般の市販電池より大きい高効果の充電電池を使用者が電気製品４０に使用する場合は、電力放電が弱い故の作動中断が発生し難い。前記の実施例３のＲＦ発射器６０に関しては、実施例１または実施例２を参照されたい。
【００２４】
図７には本考案の実施例４に関する立体外観図を示す。実施例４はカバー体１０に充電電池５０を配置する内設スロット１１を設置し、これにより充電電池５０をカバー体１０内に隠して配置することができ、内設スロット１１外側に電池スロット４１の電極端に対応する端子部３０を設け、該内設スロット１１は一般の市販の充電電池５０を挿入取り付けられる他、特製の充電電池５０を挿入取り付け、取替えることができる。
【００２５】
しかし、以上の実施例の説明及び図面に示したものは、本考案の最良の実施例を列挙しただけであり、本考案を制限するものでは決してない。例えば各図面に挙げた電気製品はゲーム制御器や携帯電話を代表として説明しているが、本考案の電池カバーはまた、その他電気製品の電池スロットに組み合わせることが可能である。例えば、一般市販のリモコン、マルチメディア再生器、コードレスマウス、懐中電灯、ＰＤＡ、デジタルカメラ等の電気製品の電池スロット上に被覆可能であり、消費者は本考案の電池カバーを市販の電気製品上に置き換えて配置するだけで、即刻、該電気製品にコードレスセンサー方式で電力の補充を行うことができる。よって、本考案の構造、装置、特徴等に近似するものや同様のものは全て、本考案の考案目的及び実用新案登録請求の範囲内に含まれるものとする。
【図面の簡単な説明】
【００２６】
【図１】本考案の実施例１に関する立体外観図である。
【図２】本考案の実施例１に関する使用状態図である。
【図３】本考案の実施例１に関する構造図である。
【図４】本考案の実施例２に関する構造図である。
【図５】本考案の実施例３に関する立体外観図である。
【図６】本考案の実施例３に関する構造図である。
【図７】本考案の実施例４に関する立体外観図である。
【符号の説明】
【００２７】
１０  カバー体
１１  内設スロット
２０  非接触式電力発生ユニット
２１  第一コイル
２２  第一共振回路
２３  整流フィルタ回路
２４  充電回路
２５  第一処理ユニット
２６  第一変調回路
２７  保護回路
２８  第一信号処理回路
２９  メモリ
３０  端子部
４０  電気製品
４１  電池スロット
５０  充電電池
６０  ＲＦ発射器
６１  第二コイル
６２  第二共振回路
６３  駆動回路
６４  発振回路
６４a  電圧制御発振回路
６４b  フィードバック回路
６５  スイッチ
６６  第二信号処理回路
６７  第二処理ユニット
６８  表示ユニット
６９  第二変調回路
【図１】
0003143249.tif 000003
【図２】
0003143249.tif 000004
【図３】
0003143249.tif 000005
【図４】
0003143249.tif 000006
【図５】
0003143249.tif 000007
【図６】
0003143249.tif 000008
【図７】
0003143249.tif 000009
【手続補正書】
【提出日】平成20年6月3日(2008.6.3)
【手続補正１】
【補正対象書類名】実用新案登録請求の範囲
【補正対象項目名】全文
【補正方法】変更
【補正の内容】
【実用新案登録請求の範囲】
【請求項１】
電池カバーは、ＲＦ発射器上に配置し、しかも非接触のセンサー方式によって充電を行い、該電池カバーは、カバー体と非接触式電力発生ユニットを最低含み、
該カバー体は、電気製品の電池スロット上に被覆し、該カバー体には電池スロット方向に充電電池と電気接続する端子部を設け、
該非接触式電力発生ユニットは、カバー体内に設け、ＲＦ発射器のＲＦ信号を感知して電力を発生させ、しかも端子部によって充電電池に対し充電を行うことを特徴とする電池カバー。
【請求項２】
前記の非接触式電力発生ユニットは、
第一コイルを備え且つＲＦ発射器のＲＦ信号の有効エリアに進入した時に良好なエネルギー源を得られる第一共振回路と、
第一共振回路に接続して、該エネルギー源を直流電気に変換する整流フィルタ回路と、  整流フィルタ回路に接続し、端子部を通して充電電池に対して充電を行う充電回路と、  充電回路に接続し、充電電池の充電状態を探知する第一処理ユニットと、
第一処理ユニットと整流フィルタ回路の間に接続して、負荷変化モードによって第一コイルを通してＲＦ発射器に受信させる充電状態データを発信させる第一変調回路とを含むことを特徴とする請求項１記載の電池カバー。
【請求項３】
前記のＲＦ発射器は、第二コイルを含む第二共振回路と、第二共振回路に接続する駆動回路と、駆動回路と外部電源に接続する発振回路と、第二コイルに接続する第二信号処理回路と、第二信号処理回路に接続する第二処理ユニットと、第二処理ユニットに接続し充電状況を表示する表示ユニットとを含むことを特徴とする請求項２記載の電池カバー。
【請求項４】
前記のＲＦ発射器は、第二コイルを含む第二共振回路と、第二共振回路に接続する駆動回路と、駆動回路に接続する電圧制御発振回路と、第二コイルに接続する第二信号処理回路と、第二信号処理回路に接続する第二処理ユニットと、第二処理ユニットに接続し充電状況を表示する表示ユニットと、電圧制御発振回路と第二処理ユニット間に接続するフィードバック回路を含むことを特徴とする請求項２記載の電池カバー。
【請求項５】
前記のＲＦ発射器は更に、第二処理ユニットと駆動回路の間に設ける第二変調回路を含み、非接触式電力発生ユニットは更に、第一コイルと第一処理ユニット間に接続する第一信号処理回路と、第一処理ユニットに接続するメモリを含むことを特徴とする請求項３若しくは請求項４記載の電池カバー。
【請求項６】
前記のメモリは、ＦＬＡＳＨ（登録商標）、ＥＥＰＲＯＭ（登録商標）の何れか一つであることを特徴とする請求項５記載の電池カバー。
【請求項７】
前記のＲＦ発射器は、更に電源スイッチを含むことを特徴とする請求項３若しくは請求項４記載の電池カバー。
【請求項８】
前記のスイッチはセンサー式スイッチであることを特徴とする請求項７記載の電池カバー。
【請求項９】
前記の非接触式電力発生ユニットは、第一処理ユニットと充電回路間に設ける保護回路を含むことを特徴とする請求項２記載の電池カバー。
【請求項１０】
電池カバーは、ＲＦ発射器上に配置し、しかも非接触のセンサー方式によって充電を行い、該電池カバーは、カバー体と非接触式電力発生ユニットを最低含み、
該カバー体は、電気製品の電池スロット上に被覆し、該カバー体上には充電電池を設置し、しかも電池スロット方向に電池スロットの電極端に対応する端子部を設け、
該非接触式電力発生ユニットは、カバー体内に設け、ＲＦ発射器のＲＦ信号を感知して電力を発生させ、並びに充電電池に対し充電を行った後、端子部を通して電気製品に電気供給をすることを特徴とする電池カバー。
【請求項１１】
前記の非接触式電力発生ユニットは、
第一コイルを備え且つＲＦ発射器のＲＦ信号の有効エリアに進入した時に良好なエネルギー源を得られる第一共振回路と、
第一共振回路に接続して、該エネルギー源を直流電気に変換する整流フィルタ回路と、  整流フィルタ回路に接続し、充電電池に対して充電を行う充電回路と、
充電回路に接続し、充電電池の充電状態を探知する第一処理ユニットと、
第一処理ユニットと整流フィルタ回路の間に接続して、負荷変化モードによって第一コイルを通してＲＦ発射器に受信させる充電状態データを発信させる第一変調回路と、
第一処理ユニットと充電回路に接続し、充電電池の充電過剰や放電過剰の状況発生を防止する保護回路とを含むことを特徴とする請求項１０記載の電池カバー。
【請求項１２】
前記のＲＦ発射器は、第二コイルを含む第二共振回路と、第二共振回路に接続する駆動回路と、駆動回路と外部電源に接続する発振回路と、第二コイルに接続する第二信号処理回路と、第二信号処理回路に接続する第二処理ユニットと、第二処理ユニットに接続し充電状況を表示する表示ユニットとを含むことを特徴とする請求項１１記載の電池カバー。
【請求項１３】
前記のＲＦ発射器は、第二コイルを備える第二共振回路と、第二共振回路に接続する駆動回路と、駆動回路に接続する電圧制御発振回路と、第二コイルに接続する第二信号処理回路と、第二信号処理回路に接続する第二処理ユニットと、
第二処理ユニットに接続し充電状況を表示する表示ユニットと、電圧制御発振回路と第二処理ユニット間に接続するフィードバック回路を含むことを特徴とする請求項１１記載の電池カバー。
【請求項１４】
前記のＲＦ発射器は更に、第二処理ユニットと駆動回路の間に設ける第二変調回路を含み、非接触式電力発生ユニットは更に、第一コイルと第一処理ユニット間に接続する第一信号処理回路と、第一処理ユニットに接続するメモリとを含むことを特徴とする請求項１２若しくは請求項１３記載の電池カバー。
【請求項１５】
前記のメモリは、ＦＬＡＳＨ（登録商標）、ＥＥＰＲＯＭ（登録商標）の何れか一つであることを特徴とする請求項１４記載の電池カバー。
【請求項１６】
前記のＲＦ発射器は、更に電源スイッチを含むことを特徴とする請求項１１記載の電池カバー。
【請求項１７】
前記のスイッチはセンサー式スイッチであることを特徴とする請求項１６記載の電池カバー。
【請求項１８】
前記の非接触式電力発生ユニットは、第一処理ユニットと充電回路間に設ける保護回路を含むことを特徴とする請求項１１記載の電池カバー。
【請求項１９】
前記カバー体は更に、充電電池を入れる内設スロットを設置することを特徴とする請求項１０記載の電池カバー。
【手続補正２】
【補正対象書類名】明細書
【補正対象項目名】００１１
【補正方法】変更
【補正の内容】
【００１１】
請求項１の考案は、電池カバーは、ＲＦ発射器上に配置し、しかも非接触のセンサー方式によって充電を行い、該電池カバーは、カバー体と非接触式電力発生ユニットを最低含み、
該カバー体は、電気製品の電池スロット上に被覆し、該カバー体には電池スロット方向に充電電池と電気接続する端子部を設け、
該非接触式電力発生ユニットは、カバー体内に設け、ＲＦ発射器のＲＦ信号を感知して電力を発生させ、しかも端子部によって充電電池に対し充電を行うことを特徴とする電池カバーとしている。
請求項２の考案は、前記の非接触式電力発生ユニットは、
第一コイルを備え且つＲＦ発射器のＲＦ信号の有効エリアに進入した時に良好なエネルギー源を得られる第一共振回路と、
第一共振回路に接続して、該エネルギー源を直流電気に変換する整流フィルタ回路と、  整流フィルタ回路に接続し、端子部を通して充電電池に対して充電を行う充電回路と、  充電回路に接続し、充電電池の充電状態を探知する第一処理ユニットと、
第一処理ユニットと整流フィルタ回路の間に接続して、負荷変化モードによって第一コイルを通してＲＦ発射器に受信させる充電状態データを発信させる第一変調回路とを含むことを特徴とする請求項１記載の電池カバーとしている。
請求項３の考案は、前記のＲＦ発射器は、第二コイルを含む第二共振回路と、第二共振回路に接続する駆動回路と、駆動回路と外部電源に接続する発振回路と、第二コイルに接続する第二信号処理回路と、第二信号処理回路に接続する第二処理ユニットと、第二処理ユニットに接続し充電状況を表示する表示ユニットとを含むことを特徴とする請求項２記載の電池カバーとしている。
請求項４の考案は、前記のＲＦ発射器は、第二コイルを含む第二共振回路と、第二共振回路に接続する駆動回路と、駆動回路に接続する電圧制御発振回路と、第二コイルに接続する第二信号処理回路と、第二信号処理回路に接続する第二処理ユニットと、第二処理ユニットに接続し充電状況を表示する表示ユニットと、電圧制御発振回路と第二処理ユニット間に接続するフィードバック回路を含むことを特徴とする請求項２記載の電池カバーとしている。
請求項５の考案は、前記のＲＦ発射器は更に、第二処理ユニットと駆動回路の間に設ける第二変調回路を含み、非接触式電力発生ユニットは更に、第一コイルと第一処理ユニット間に接続する第一信号処理回路と、第一処理ユニットに接続するメモリを含むことを特徴とする請求項３若しくは請求項４記載の電池カバーとしている。
請求項６の考案は、前記のメモリは、ＦＬＡＳＨ（登録商標）、ＥＥＰＲＯＭ（登録商標）の何れか一つであることを特徴とする請求項５記載の電池カバーとしている。
請求項７の考案は、前記のＲＦ発射器は、更に電源スイッチを含むことを特徴とする請求項３若しくは請求項４記載の電池カバーとしている。
請求項８の考案は、前記のスイッチはセンサー式スイッチであることを特徴とする請求項７記載の電池カバーとしている。
請求項９の考案は、前記の非接触式電力発生ユニットは、第一処理ユニットと充電回路間に設ける保護回路を含むことを特徴とする請求項２記載の電池カバーとしている。
請求項１０の考案は、電池カバーは、ＲＦ発射器上に配置し、しかも非接触のセンサー方式によって充電を行い、該電池カバーは、カバー体と非接触式電力発生ユニットを最低含み、
該カバー体は、電気製品の電池スロット上に被覆し、該カバー体上には充電電池を設置し、しかも電池スロット方向に電池スロットの電極端に対応する端子部を設け、
該非接触式電力発生ユニットは、カバー体内に設け、ＲＦ発射器のＲＦ信号を感知して電力を発生させ、並びに充電電池に対し充電を行った後、端子部を通して電気製品に電気供給をすることを特徴とする電池カバーとしている。
請求項１１の考案は、前記の非接触式電力発生ユニットは、
第一コイルを備え且つＲＦ発射器のＲＦ信号の有効エリアに進入した時に良好なエネルギー源を得られる第一共振回路と、
第一共振回路に接続して、該エネルギー源を直流電気に変換する整流フィルタ回路と、  整流フィルタ回路に接続し、充電電池に対して充電を行う充電回路と、
充電回路に接続し、充電電池の充電状態を探知する第一処理ユニットと、
第一処理ユニットと整流フィルタ回路の間に接続して、負荷変化モードによって第一コイルを通してＲＦ発射器に受信させる充電状態データを発信させる第一変調回路と、
第一処理ユニットと充電回路に接続し、充電電池の充電過剰や放電過剰の状況発生を防止する保護回路とを含むことを特徴とする請求項１０記載の電池カバーとしている。
請求項１２の考案は、前記のＲＦ発射器は、第二コイルを含む第二共振回路と、第二共振回路に接続する駆動回路と、駆動回路と外部電源に接続する発振回路と、第二コイルに接続する第二信号処理回路と、第二信号処理回路に接続する第二処理ユニットと、第二処理ユニットに接続し充電状況を表示する表示ユニットとを含むことを特徴とする請求項１１記載の電池カバーとしている。
請求項１３の考案は、前記のＲＦ発射器は、第二コイルを備える第二共振回路と、第二共振回路に接続する駆動回路と、駆動回路に接続する電圧制御発振回路と、第二コイルに接続する第二信号処理回路と、第二信号処理回路に接続する第二処理ユニットと、
第二処理ユニットに接続し充電状況を表示する表示ユニットと、電圧制御発振回路と第二処理ユニット間に接続するフィードバック回路を含むことを特徴とする請求項１１記載の電池カバーとしている。
請求項１４の考案は、前記のＲＦ発射器は更に、第二処理ユニットと駆動回路の間に設ける第二変調回路を含み、非接触式電力発生ユニットは更に、第一コイルと第一処理ユニット間に接続する第一信号処理回路と、第一処理ユニットに接続するメモリとを含むことを特徴とする請求項１２若しくは請求項１３記載の電池カバーとしている。
請求項１５の考案は、前記のメモリは、ＦＬＡＳＨ（登録商標）、ＥＥＰＲＯＭ（登録商標）の何れか一つであることを特徴とする請求項１４記載の電池カバーとしている。
請求項１６の考案は、前記のＲＦ発射器は、更に電源スイッチを含むことを特徴とする請求項１１記載の電池カバーとしている。
請求項１７の考案は、前記のスイッチはセンサー式スイッチであることを特徴とする請求項１６記載の電池カバーとしている。
請求項１８の考案は、前記の非接触式電力発生ユニットは、第一処理ユニットと充電回路間に設ける保護回路を含むことを特徴とする請求項１１記載の電池カバーとしている。
請求項１９の考案は、前記カバー体は更に、充電電池を入れる内設スロットを設置することを特徴とする請求項１０記載の電池カバーとしている。